(57)【特許請求の範囲】
【請求項１】
第１のフェルール及び第２のフェルールを受け入れるように構成されたハウジングと；
前記ハウジングに取り外し可能に接続され、前記ハウジングに接続されたままで前記ハウジングの周りを回転するように構成されているラッチコンポーネントであって、前記ラッチコンポーネントは、第１の極性位置から第２の極性位置の少なくとも１つで前記ラッチコンポーネントの回転を抑止するために第２のロック要素と係合するように構成された第１のロック要素を備えているラッチコンポーネントと；  
前記ハウジングに取り外し可能に接続され、順方向及び逆方向の少なくとも一方にバイアス力が加えられたときに前記ハウジングに沿って移動するように構成されたプッシュプルタブと
を具備し、
前記プッシュプルタブは、前記ハウジングに沿って移動するときに前記ラッチコンポーネントを圧縮するように構成されており、
前記ラッチコンポーネントは、少なくとも１つの凸部を備えた上部を備え、  
前記プッシュプルタブは、少なくとも１つの窓を含んでおり、
前記プッシュプルタブが前記ハウジングに取り外し可能に接続されると、前記少なくとも１つの凸部が前記少なくとも１つの窓を通って延在し、  
前記プッシュプルタブが前記ハウジングに沿って移動すると、前記ラッチコンポーネントが圧縮され、前記窓の縁が前記少なくとも１つの凸部に衝突する、
コネクタアセンブリ。
【請求項２】
前記プッシュプルタブは、逆傾斜部を有する下部を更に備え、  
前記プッシュプルタブが前記ハウジングに沿って移動すると、前記窓の縁が前記少なくとも１つの凸部に衝突する、及び、前記逆傾斜部の少なくとも１つが前記ラッチコンポーネントの一部に衝突する、の少なくとも一方をもたらすように、前記ラッチコンポーネントが圧縮される、
請求項１に記載のコネクタアセンブリ。
【請求項３】
前記プッシュプルタブは、逆傾斜部を有する下部を更に備え、  
前記プッシュプルタブが前記ハウジングに沿って移動すると、前記逆傾斜部の一部が前記ラッチコンポーネントの一部に衝突するように、前記ラッチコンポーネントが圧縮される、
請求項１に記載のコネクタアセンブリ。
【請求項４】
前記プッシュプルタブは、小さな凸部を有する下面を備え、
前記ハウジングは、小さな凹部を有する上部を備え、  
前記プッシュプルタブが前記ハウジングに取り外し可能に接続されると、前記小さな凸部が前記小さな凹部内にフィットし、
前記小さな凸部は、前記小さな凹部のサイズに基づいて前記プッシュプルタブの移動距離を制限する、
請求項１に記載のコネクタアセンブリ。
【請求項５】
前記プッシュプルタブは、テンション部材を備え、  
前記テンション部材は、前記ハウジングの一部に対してバイアス力を加える、
請求項１に記載のコネクタアセンブリ。
【請求項６】
前記第１のフェルールと前記第２のフェルールと間のピッチは６．２５ｍｍであり、
全体の幅は１０．８２ｍｍである、
請求項１に記載のコネクタアセンブリ。
【請求項７】
前記第１のフェルールと前記第２のフェルールと間のピッチは５．２５ｍｍであり、
全体の幅は９．８２ｍｍである、
請求項１に記載のコネクタアセンブリ。
【請求項８】
前記第１のフェルールと前記第２のフェルールと間のピッチは３．４０ｍｍであり、
全体の幅は７．９７ｍｍである、
請求項１に記載のコネクタアセンブリ。
【請求項９】
調節可能な極性を有するコネクタアセンブリであって、
プラグフレーム部分、本体部分、及びバックポスト部分を含むポリマーユニボディベースフレームと；
前記ポリマーユニボディベースフレームの前記バックポスト部分上にクリンプされるクリンプリングと；
トップカバーと；  
独立したラッチコンポーネントと
を具備し、
前記独立したラッチコンポーネントは、前記ポリマーユニボディベースフレームの遠位端（Ｄ）に取り外し可能に接続され、  
前記独立したラッチコンポーネントは、前記ラッチコンポーネントが前記ポリマーユニボディベースフレームに接続されたままで前記ポリマーユニボディベースフレームの周りで実質的に同心に回転して、前記コネクタアセンブリの極性を第１の極性から第２の極性に変更するように構成されている、
コネクタアセンブリ。
【請求項１０】
少なくとも１つの窓を有するプッシュプルタブを更に備え、
前記独立したラッチコンポーネントは、少なくとも１つの凸部を有する上部を備えている、
請求項９に記載のコネクタアセンブリ。
【請求項１１】
前記プッシュプルタブが前記ポリマーユニボディベースフレームに取り外し可能に接続されると、前記少なくとも１つの凸部が前記少なくとも１つの窓を通って延在し、  
前記プッシュプルタブが前記ポリマーユニボディベースフレームに沿って移動すると、前記独立したラッチコンポーネントが圧縮され、前記窓の縁が前記少なくとも１つの凸部に衝突する、
請求項１０に記載のコネクタアセンブリ。
【請求項１２】
前記プッシュプルタブは、逆傾斜部を有する下部を更に備え、  
前記プッシュプルタブが前記ポリマーユニボディベースフレームに沿って移動すると、前記窓の縁が前記少なくとも１つの凸部に衝突する、及び、前記逆傾斜部の少なくとも１つが前記ラッチコンポーネントの一部に衝突する、の少なくとも一方をもたらすように、前記独立したラッチコンポーネントが圧縮される、
請求項１０に記載のコネクタアセンブリ。
【請求項１３】
逆傾斜部を有する下部を有するプッシュプルタブを更に備え、
前記プッシュプルタブが前記ポリマーユニボディベースフレームに沿って移動すると、前記逆傾斜部の一部が前記独立したラッチコンポーネントの一部に衝突するように、前記独立したラッチコンポーネントが圧縮される、
請求項９に記載のコネクタアセンブリ。
【請求項１４】
小さな凸部を有する下面を有するプッシュプルタブを更に備え、
前記ポリマーユニボディベースフレームは、小さな凹部を有する上部を備え、  
前記プッシュプルタブが前記ポリマーユニボディベースフレームに取り外し可能に接続されると、前記小さな凸部が前記小さな凹部内にフィットし、
前記小さな凸部は、前記小さな凹部のサイズに基づいて前記プッシュプルタブの移動距離を制限する、
請求項９に記載のコネクタアセンブリ。
【請求項１５】
テンション部材を有するプッシュプルタブを更に備え、
前記テンション部材は、前記ポリマーユニボディベースフレームの一部に対してバイアス力を加える、
請求項９に記載のコネクタアセンブリ。
【請求項１６】
前記ポリマーユニボディベースフレームによって支持される第1のフェルール及び第2のフェルールを更に具備し、
前記第１のフェルールと前記第２のフェルールと間のピッチは６．２５ｍｍであり、
全体の幅は１０．８２ｍｍである、
請求項９に記載のコネクタアセンブリ。
【請求項１７】
前記ポリマーユニボディベースフレームによって支持される第1のフェルール及び第2のフェルールを更に具備し、
前記第１のフェルールと前記第２のフェルールと間のピッチは５．２５ｍｍであり、
全体の幅は９．８２ｍｍである、
請求項９に記載のコネクタアセンブリ。
【請求項１８】
前記ポリマーユニボディベースフレームによって支持される第1のフェルール及び第2のフェルールを更に具備し、
前記第１のフェルールと前記第２のフェルールと間のピッチは３．４０ｍｍであり、
全体の幅は７．９７ｍｍである、
請求項９に記載のコネクタアセンブリ。
【発明の詳細な説明】
【技術分野】
【０００１】
関連出願との相互参照
本出願は、「プッシュ／プルタブ上のクリップ」と題する２０１７年５月２５日に出願された米国仮特許出願第６２／５１１，３０３号の出願日までの３５Ｕ．Ｓ．Ｃ．１１９（ｅ）に基づく優先権の利益を主張するものであり、その内容全体が参照により本明細書に援用される。
【背景技術】
【０００２】
本開示は、一般に光ファイバコネクタに関する。インターネットの普及は、通信ネットワークの前例のない成長をもたらした。サービスに対する消費者の需要と競争の激化により、ネットワークプロバイダは、コストを削減しながらサービス品質を改善する方法を継続的に見つけていく必要がある。特定のソリューションは、高密度相互接続パネルの展開を含んでいる。高密度相互接続パネルは、急速に成長するネットワークをサポートするために必要な増加する相互接続量をコンパクトなフォームファクタに統合するように設計することができ、これにより、サービス品質が向上し、フロアスペースやサポートのオーバーヘッドなどのコストが削減される。
データセンタやスイッチングネットワークなどの通信ネットワークでは、係合コネクタ間の多数の相互接続が高密度パネル中にコンパクト化される場合がある。パネル及びコネクタの生産者は、コネクタのサイズ及び／又はパネル上の隣接するコネクタ間の間隔を縮小することにより、このような高密度に向けて最適化するかもしれない。どちらの方法もパネルコネクタの密度を高めるには効果的だが、コネクタのサイズや間隔を縮小すると、サポートコストが増加し、サービス品質が低下する可能性がある。
【０００３】
高密度パネル構成では、隣接するコネクタとケーブルアセンブリが個々のリリースメカニズムへのアクセスを妨げる場合がある。このような物理的な障害は、ケーブルとコネクタにかかる応力を最小限に抑えるためのオペレータの能力を妨げる可能性がある。例えば、これらのストレスは、ユーザが密集したコネクタのグループに到り、周囲の光ファイバやコネクタを押して親指と人差し指とで個々のコネクタリリースメカニズムにアクセスするとき等に適用され得る。ケーブル及びコネクタに過度のストレスをかけると、潜在的な欠陥が生じたり、終端の完全性や信頼性が損なわれたり、ネットワークパフォーマンスに重大な混乱が生じる可能性がある。
【０００４】
それゆえ、より小さな設置面積、より簡単な実装、及び簡単なフィールド変更を可能にする、将来の開発ニーズを満たす光ファイバコネクタが必要とされている。
【発明の概要】
【０００５】
本開示は、説明される特定のシステム、装置、及び方法に限定されず、これらは異なり得る。本明細書で使用される用語は、特定のバージョン又は実施形態のみを説明するためのものであり、発明の範囲を限定することを意図したものではない。
【０００６】
本明細書において、単数形「ａ」、「ａｎ」、及び「ｔｈｅ」は、文脈が明確にそうでないと示さない限り、複数への参照を含んでいる。別に定義されない限り、本明細書で使用される全ての技術用語及び科学用語は、当業者によって一般に理解されるのと同じ意味を有する。本開示に記載された実施形態の何れも、従来発明のためにそのような開示に先行する権利を与えられないことの承認として解釈されるべきではない。この文書で使用されている「ｃｏｍｐｒｉｓｉｎｇ」という用語は、「含むが、これに限定されない」ことを意味している。
【０００７】
一実施形態では、コネクタアセンブリは、第１のフェルール及び第２のフェルールを受け入れるように構成されたハウジングを有していてもよい。コネクタアセンブリは、ハウジングに取り外し可能に接続されるラッチコンポーネントであって、ハウジングの周りを回転するように構成されるラッチコンポーネントを有していてもよい。ラッチコンポーネントは、第１の極性位置から第２の極性位置の少なくとも１つでラッチコンポーネントの回転を抑止するために第２のロック要素と係合するように構成された第１のロック要素を有し得る。コネクタは、ハウジングに取り外し可能に接続されたプッシュプルタブであって、順方向及び逆方向の少なくとも一方についてプッシュプルタブにバイアス力が加えられたときにハウジングに沿って垂直に移動するように構成されたプッシュプルタブを更に含み得る。したがって、プッシュプルタブは、ハウジングに沿って縦方向に移動するときに、ラッチコンポーネントを圧縮することができる。
【０００８】
一実施形態では、調節可能な極性を有するコネクタアセンブリは、互いに独立した第１のプラグフレーム及び第２のプラグフレームを含んでいてもよい。ここで、第１のプラグフレーム内に配置された第１のフェルール及び第２のプラグフレーム内に配置された第２のフェルールは、各々が光ファイバケーブルの終端に接続されている。また、調節可能な極性を有するコネクタアセンブリは、下部ハウジングコンポーネントに取り外し可能に結合されるように構成された上部ハウジングコンポーネントを含み得るハウジングを含んでいてもよい。上部ハウジングと下部ハウジングとは互いに結合されて、コネクタアセンブリ内で第１プラグフレームと第２プラグフレームとを固定するように構成されている。一側面では、上部ハウジングコンポーネントを下部ハウジングコンポーネントから取り外すことにより、第１のプラグフレーム及び第２のプラグフレームへのアクセスが提供され、ハウジング内の第１のプラグフレーム及び第２のプラグフレームの位置を変更して、コネクタアセンブリの極性を変更することが可能となる。
【０００９】
更なる実施形態では、コネクタアセンブリは、調節可能な極性を有していてもよく、プラグフレーム部分、本体部分、及びバックポスト部分を含むポリマーユニボディベースフレームと、トップカバーと、独立したラッチとを備えていてもよい。ここで、独立したラッチコンポーネントは、ベースフレームの遠位端（Ｄ）に取り外し可能に接続される。また、独立したラッチコンポーネントは、ベースフレームの周りで実質的に同心に回転して、コネクタアセンブリの極性を第１の極性から第２の極性に変えるように構成されている。
【図面の簡単な説明】
【００１０】
本発明の上記及び他の目的は、添付の図面に関連してなされる以下の詳細な説明からより容易に明らかになるであろう。
【００１１】
【図１】図１は、一実施形態による光コネクタの分解図を示している。
【００１２】
【図２Ａ】図２Ａは、一実施形態による例示的なコネクタアセンブリを示している。
【図２Ｂ】図２Ｂは、一実施形態による例示的なコネクタアセンブリを示している。
【図２Ｃ】図２Ｃは、一実施形態による例示的なコネクタアセンブリを示している。
【００１３】
【図３Ａ】図３Ａは、一実施形態による光コネクタの分解図を示している。
【００１４】
【図３Ｂ】図３Ｂは、一実施形態による光コネクタの断面図を示している。
【００１５】
【図３Ｃ】図３Ｃは、一実施形態によるコネクタアセンブリのラッチコンポーネントの詳細図を示している。
【００１６】
【図３Ｄ】図３Ｄは、一実施形態による例示的なコネクタアセンブリの極性変更を示している。
【図３Ｅ】図３Ｅは、一実施形態による例示的なコネクタアセンブリの極性変更を示している。
【図３Ｆ】図３Ｆは、一実施形態による例示的なコネクタアセンブリの極性変更を示している。
【００１７】
【図４Ａ】図４Ａは、一実施形態によるコネクタアセンブリの上面図を示している。
【００１８】
【図４Ｂ】図４Ｂは、一実施形態によるコネクタアセンブリの断面図を示している。
【００１９】
【図４Ｃ】図４Ｃは、一実施形態によるコネクタアセンブリの側面図を示している。
【００２０】
【図４Ｄ】図４Ｄは、一実施形態によるコネクタアセンブリの斜視図を示している。
【００２１】
【図４Ｅ】図４Ｅは、一実施形態によるコネクタアセンブリのラッチコンポーネントの側面図を示している。
【００２２】
【図４Ｆ】図４Ｆは、一実施形態によるコネクタアセンブリのラッチコンポーネントの上面図を示している。
【００２３】
【図４Ｇ】図４Ｇは、一実施形態による例示的なコネクタアセンブリの極性変更を示している。
【図４Ｈ】図４Ｈは、一実施形態による例示的なコネクタアセンブリの極性変更を示している。
【図４Ｉ】図４Ｉは、一実施形態による例示的なコネクタアセンブリの極性変更を示している。
【００２４】
【図５】図５は、一実施形態による光コネクタの分解図を示している。
【００２５】
【図６Ａ】図６Ａは、一実施形態によるコネクタアセンブリの一例を示している。
【００２６】
【図６Ｂ】図６Ｂは、一実施形態によるプッシュプルタブの一例を示している。
【００２７】
【図６Ｃ】図６Ｃは、一実施形態によるコネクタアセンブリに接続されたプッシュプルタブの一例を示している。
【００２８】
【図７Ａ】図７Ａは、一実施形態によるコネクタアセンブリに接続されたプッシュプルタブの斜視図を示している。
【００２９】
【図７Ｂ】図７Ｂは、一実施形態によるコネクタアセンブリに接続されたプッシュプルタブの別の斜視図を示している。
【００３０】
【図８Ａ】図８Ａは、一実施形態によるコネクタアセンブリの一部分の詳細図を示している。
【００３１】
【図８Ｂ】図８Ｂは、一実施形態によるコネクタアセンブリの一部分の側面図を示している。
【００３２】
【図９Ａ】図９Ａは、一実施形態によるコネクタアセンブリの潜在的な極性変化を示している。
【００３３】
【図９Ｂ】図９Ｂは、一実施形態によるコネクタアセンブリのハウジング上の凹部を示している。
【００３４】
【図９Ｃ】図９Ｃは、一実施形態によるラッチコンポーネントの凸部を示している。
【００３５】
【図１０Ａ】図１０Ａは、一実施形態によるプッシュプルタブの下側図を示している。
【００３６】
【図１０Ｂ】図１０Ｂは、一実施形態によるプッシュプルタブの上側図を示している。
【００３７】
【図１０Ｃ】図１０Ｃは、一実施形態によるコネクタアセンブリの斜視図を示している。
【００３８】
【図１１】図１１は、一実施形態による凸部と窓との相互作用の詳細図を示している。
【００３９】
【図１２Ａ】図１２Ａは、一実施形態によるコネクタアセンブリに接続されたプッシュプルタブの一例を示している。
【００４０】
【図１２Ｂ】図１２Ｂは、図１２Ａに示す一実施形態によるコネクタアセンブリに接続されたプッシュプルタブの一例の部分詳細図を示している。
【００４１】
【図１２Ｃ】図１２Ｃは、図１２Ａに示す一実施形態によるコネクタアセンブリに接続されたプッシュプルタブの一例の部分詳細図を示している。
【図１２Ｄ】図１２Ｄは、一実施形態によるコネクタアセンブリに接続されたプッシュプルタブの一例を示している。
【００４２】
【図１３】図１３は、一実施形態によるコネクタアセンブリに接続されたプッシュプルタブの断面図を示している。
【００４３】
【図１４】図１４は、一実施形態によるコネクタアセンブリに接続されたプッシュプルタブの斜視図を示している。
【００４４】
【図１５Ａ】図１５Ａは、一実施形態によるコネクタアセンブリの斜視図を示している。
【００４５】
【図１５Ｂ】図１５Ｂは、一実施形態によるコネクタアセンブリに接続されたプッシュプルタブの詳細図を示している。
【００４６】
【図１６Ａ】図１６Ａは、一実施形態によるプッシュプルタブ上の小さな凹部の詳細図を示している。
【００４７】
【図１６Ｂ】図１６Ｂは、一実施形態によるラッチコンポーネントの上部の斜視図を示している。
【００４８】
【図１７】図１７は、一実施形態による小さな凸部と小さな凹部との相互作用の詳細な断面図を示している。
【００４９】
【図１８Ａ】図１８Ａは、プッシュプルタブ上のテンションバーの斜視図を示している。
【００５０】
【図１８Ｂ】図１８Ｂは、プッシュプルタブ上のテンションバーの側面図を示している。
【００５１】
【図１９Ａ】図１９Ａは、６．２５ｍｍピッチのコネクタアセンブリの斜視図を示している。
【００５２】
【図１９Ｂ】図１９Ｂは、６．２５ｍｍピッチのコネクタアセンブリの正面図を示している。
【００５３】
【図２０Ａ】図２０Ａは、６．２５ｍｍピッチのコネクタアセンブリの斜視図を示している。
【００５４】
【図２０Ｂ】図２０Ｂは、６．２５ｍｍピッチのコネクタアセンブリの正面図を示している。
【００５５】
【図２１Ａ】図２１Ａは、５．２５ｍｍピッチのコネクタアセンブリの斜視図を示している。
【００５６】
【図２１Ｂ】図２１Ｂは、５．２５ｍｍピッチのコネクタアセンブリの正面図を示している。
【００５７】
【図２２Ａ】図２２Ａは、５．２５ｍｍピッチのコネクタアセンブリの斜視図を示している。
【００５８】
【図２２Ｂ】図２２Ｂは、５．２５ｍｍピッチのコネクタアセンブリの正面図を示している。
【００５９】
【図２３Ａ】図２３Ａは、３．４ｍｍピッチのコネクタアセンブリの斜視図を示している。
【００６０】
【図２３Ｂ】図２３Ｂは、３．４ｍｍピッチのコネクタアセンブリの正面図を示している。
【発明を実施するための形態】
【００６１】
通信インフラの信頼性は、ケーブルセグメント、ネットワーク機器、及び通信デバイス等のコンポーネント間の安全で正確な接続に依存している。大規模なデータ通信システムでは、コンポーネント間のデータ伝送に光ファイバケーブルが使用されている。光ファイバケーブルは、コネクタアセンブリによって終端されていてもよい。ＬＣコネクタアセンブリなどのデュプレックスコネクタアセンブリには、受信側の光ファイバ（通常「Ａ」とラベル付け）と送信側の光ファイバ（通常「Ｂ」とラベル付け）とが含まれ得る。そのようなデュプレックスコネクタアセンブリは、対応する受信（「Ａ」）及び送信（「Ｂ」）ポートを有するアダプタに接続することができる。デュプレックスコネクタアセンブリは、一般に、受信側の光ファイバがアダプタの送信ポートに接続し、送信側の光ファイバがアダプタの受信ポートに接続するように構成されている。
【００６２】
デュプレックスコネクタアセンブリは、受信側の光ファイバと送信側の光ファイバとの相対的な方向に基づいた極性を有している。同様に、対応するアダプタは、受信ポートと送信ポートとの相対的な方向に基づいて極性を有し得る。コネクタアセンブリの極性がアダプタの極性に対応している場合、コネクタアセンブリとアダプタとの間の接続は、これら２つのコンポーネントで接続された光ファイバケーブルを介して、データを正常に通信することができる。しかしながら、特に大規模な設置条件では、コネクタの極性がアダプタの極性と一致しないことが多く、クロスオーバーやその他の通信の問題をもたらす。コネクタアセンブリには、コネクタアセンブリをアダプタに固定して回転を抑止するように構成されたコンポーネントが含まれているため、コネクタアセンブリを正しい極性に向けて単純に回転させることはできない。
【００６３】
コネクタアセンブリの誤った極性を変更する従来の手法には、困難で時間のかかる方法が含まれている。例えば、既存の不正なコネクタアセンブリを削除し、現場で新しいコネクタアセンブリを準備するために、インストーラが必要になる場合がある。他の方法では、特別なツール又は高価なコネクタコンポーネントが使用されるが、ファイバのねじれや回転が必要な場合があり、接続が破損する可能性がある。したがって、通信ネットワークプロバイダは、現場でコネクタアセンブリの極性を効率的且つ効果的に変更できるように構成されたコネクタアセンブリがあれば、恩恵を受けるはずである。
【００６４】
説明される技術は、一般に、調節可能な極性を有するコネクタアセンブリ（例えば、プラグ、オスコネクタ、コネクタなど）に関する。一般に、コネクタアセンブリは、コネクタアセンブリに複数の極性を持たせるために、複数の向き、配列、又は他の物理的属性を有している。幾つかの実施形態では、コネクタアセンブリは、１つ又は複数の極性においてのみ、アダプタ（例えば、レセプタクル、メスコネクタ、アダプタなど）に適合及び／又は正しく接続することができる。コネクタアセンブリの極性は、フェルール、ハウジング、ラッチ、及びフレームなどのコネクタアセンブリのコンポーネントの相対的な向きに基づいているかもしれない。例えば、幾つかの実施形態に従って構成されたコネクタアセンブリは、対応するアダプタとの接続を成功させるために、第１の極性及び第２の極性の一方に配置され得る２つのフェルール、送信フェルール及び受信フェルールを含み得る。
【００６５】
本明細書の幾つかの実施形態に従って説明されるコネクタアセンブリ及び他のデータ伝送要素は、信号、電気、又は任意の他のタイプの伝送媒体を伝送可能な任意のタイプのネットワークを含み得るネットワーク内で接続され得る。例えば、このネットワークは、通信ネットワーク、電気通信ネットワーク、電気ネットワーク、データネットワーク、コンピュータネットワーク、及びそれらの任意の組み合わせを含むことができるが、これらに限定されない。幾つか実施形態では、ネットワークは、光ファイバネットワーク、イーサネット（登録商標）ネットワーク、ケーブル及び／又は衛星テレビネットワーク、並びに現在知られているか将来開発され得る他のタイプの通信ネットワークを含むがこれらに限定されない、様々な信号伝送媒体を使用する通信ネットワークを含むことができる。幾つかの実施形態では、密閉可能なコネクタアセンブリは、ＬＣ、ＳＴ、ＳＣ、ＦＣ、ＤＩＮ、Ｄ４、ＳＭＡ、Ｅ２０００、Ｂｉｃｏｎｉｃ、ＦｕｌｌＡＸＳ、ＯＣＤ、ＳＦＰ（ｓｍａｌｌ  ｆｏｒｍ−ｆａｃｔｏｒ  ｐｌｕｇｇａｂｌｅ）、ＭＰＯ、及び／又はＲＪ−４５タイプのコネクタなどの銅線タイプのネットワーク接続を含むがこれらに限定されない様々な標準コネクタタイプ及び／又はアダプタを使用して、光ファイバネットワーク内のケーブルセグメント及び／又はデバイスを接続するように構成され得る。幾つかの実施形態では、コネクタアセンブリはデュプレックスＬＣ型コネクタを含むことができ、コネクタアセンブリアダプタはＳＦＰアダプタを含むことができる。幾つかの実施形態では、コネクタアセンブリは、ＬＣタイプのユニブートコネクタを含み得る。幾つかの実施形態では、コネクタアセンブリは、例えば丸型光ファイバケーブルを含んだユニボディコネクタを含み得る。
【００６６】
図１は、第１の実施形態による例示的なコネクタアセンブリの分解図を示している。図１に示されているように、コネクタアセンブリ１００は、上部ハウジングコンポーネント１０５及び下部ハウジングコンポーネント１１０から形成されるハウジング１８０を含み得る。ハウジング１８０は、上部ハウジングコンポーネント１０５が下部ハウジングコンポーネント１１０と係合された「閉じた」構成と、上部ハウジングコンポーネント１０５が下部ハウジングコンポーネント１１０と係合されていない「開いた」構成とを含むことができる。上部ハウジングコンポーネント１０５及び下部ハウジングコンポーネント１１０は、スナップフィットやフリクションフィットなどの様々な手段を使用して、互いにしっかりと係合させることができる。
【００６７】
幾つかの実施形態では、上部ハウジングコンポーネント１０５は、下部ハウジングコンポーネント１１０上の対応するロック凸部１９５と係合するように構成された１つ又は複数の上部凸部１９０を含むことができる。上部ハウジングコンポーネント１０５が下部ハウジングコンポーネント１１０に押し付けられると、上部凸部１９０は、ロック凸部１９５と係合する。ロック凸部１９５は、凸部のロック凸部に対する力が下部ハウジングコンポーネントの側壁を外側に広げることにより凸部がロック凸部を超えてハウジング１８０内部へ到る動きを促進するように、傾斜した上面を含んでいてもよい。上部凸部１９０がロック凸部１９５を通過すると、下部ハウジングコンポーネント１１０の側壁は元の位置に戻り、ロック凸部は上部凸部上に配置され、上部ハウジングコンポーネント１０５の上方への移動を抑止する。このようにして、上部ハウジングコンポーネント１０５は、下部ハウジングコンポーネント１１０にしっかりと係合される。上部ハウジングコンポーネント１０５は、下部ハウジングコンポーネントの一部をこじ開けることを含む様々なプロセスを使用して、下部ハウジングコンポーネント１１０から取り外すことができる。例えば、設置者は、ロック凸部１９５を手動で広げ、上部ハウジングコンポーネント１０５を持ち上げて、上部ハウジングコンポーネントを下部ハウジングコンポーネント１１０から取り外すことができる。
【００６８】
ケーブル（図示せず）は、ブーツ１１５を通じてコネクタアセンブリ１００内に延びることができる。ケーブルは、第１のフェルール１５５ａ及び第２のフェルール１５５ｂで終端する２つの光ファイバ（例えば、送信光ファイバ及び受信光ファイバ）を含み得る。例えば、第１のフェルール１５５ａは送信光ファイバの終端に結合されてもよく、第２のフェルール１５５ｂは受信光ファイバの終端に結合されてもよく、逆もまた同様である。熱収縮材料などの材料を含むことができるクリンプリング及び／又はクリンプチューブ１２０は、ケーブルの一部を包み込むことができ、クリンプリング１２０はケーブルに固定することができる。バックポスト１２５は、その遠位（Ｄ）端でクリンプリング１２０と係合していてもよい。幾つかの実施形態では、クリンプリング１２０がケーブルに固定されると、クリンプリングは、バックポスト１２５が、したがってハウジング１８０が、コネクタアセンブリ１００の遠位（Ｄ）端に向かって移動するのを防ぐことができる。幾つかの実施形態では、バックポスト１２５は、上部ハウジングコンポーネント１０５又は下部ハウジングコンポーネント１１０の一部と一体に成形されるか、そうでなければ固定されていてもよい。バックポスト１２５は、ハウジング１８０に形成されたチャネル１７０内に配置することができる。幾つかの実施形態では、バックポスト１２５は、スナップフィット、フリクションフィット、接着剤などを介して、下部ハウジングコンポーネント１１０内のチャネル１７０に固定されていてもよい。
【００６９】
第１のフェルール１５５ａ及び第２のフェルール１５５ｂは、それぞれ、第１のプラグフレーム１５０ａ及び第２のプラグフレーム１５０ｂ内に配置されていてもよい。第１のプラグフレーム１５０ａと第２のプラグフレーム１５０ｂとは、互いに独立していてもよい。上部ハウジングコンポーネント１０５及び下部ハウジングコンポーネント１１０は、その近位（Ｐ）端に、第１のプラグフレーム１５０ａ及び第２のプラグフレーム１５０ｂの遠位（Ｄ）端に形成された対応するチャネル１６５ａ及び１６５ｂと係合するように構成された凹部１３０及び１４５を含んでいてもよい。このようにして、第１のプラグフレーム１５０ａ及び第２のプラグフレーム１５０ｂは、ハウジング１８０が閉じた構成にあるときに、コネクタアセンブリ１００内に固定され得る。幾つかの実施形態では、第１のプラグフレーム１５０ａ及び第２のプラグフレーム１５０Ｂは、スナップフィットやフリクションフィット等を介して、凹部１３０及び１４５内において、上部ハウジングコンポーネント１０５及び／又は下部ハウジングコンポーネント１１０に結合することができる。
【００７０】
第１のプラグフレーム１５０ａ及び第２のプラグフレーム１５０ｂは、コネクタアセンブリ１００を相補的なアダプタ（図示せず）にリリース可能に結合するように構成されたロッキングラッチ１６０ａ及び１６０ｂを含み得る。ロッキングラッチ１６０ａ及び１６０ｂは、押し下げ可能であってもよく、ラッチが中程度の押圧力で作動されるとコネクタアセンブリ１００がアダプタから解放され得るように十分な柔軟性を有していてもよい。上部ハウジングコンポーネント１０５は、ロッキングラッチ１６０ａ及び１６０ｂと係合するように構成されたサムラッチ１３５を含むことができる。サムラッチ１３５は、個々のロッキングラッチ１６０ａ及び１６０ｂがハウジング上の単一のサムラッチ１３５によってトリガーされ得るように、ハウジング１８０上に配置され得る。サムラッチ１３５は、実質的に同時にロックラッチ１６０ａ及び１６０ｂを押すように構成されていてもよい。
【００７１】
図２Ａ乃至２Ｃは、第１の実施形態による例示的なコネクタアセンブリを示している。図２Ａは、閉位置におけるハウジング１８０を備えたコネクタアセンブリ１００を示しており、フェルール１５５Ａが左側に位置し、フェルール１５５Ｂが右側に位置した第１の極性を有している。図２Ｂにおいて、ハウジングコンポーネント１８０は、上部ハウジングコンポーネント１０５が下部ハウジングコンポーネント１１０から切り離された開構成にあり、ハウジングの内部が露出し、第１のプラグフレーム１５０ａ及び第２のプラグフレーム１５０ｂへのアクセスが可能となっている。図２Ｃに示されているように、第１のプラグフレーム１５０ａ及び第２のプラグフレーム１５０ｂは、ハウジング１８０が開構成にあるとき、下部ハウジングコンポーネント１１０から独立して移動することができる。したがって、第１のプラグフレーム１５０ａ及び第２のプラグフレーム１５０ｂ、したがって、第１のフェルール１５５ａ及び第２のフェルール１５５ｂの位置は、コネクタアセンブリ１８０内で切り替えることができる。このようにして、コネクタアセンブリ１００は、フェルール１５５ａが右側に配置され、フェルール１５５ｂが左側に配置された第２の極性を有するように調節され得る。コネクタアセンブリ１００の極性が調節された後、上部ハウジングコンポーネント１０５を下部ハウジングコンポーネント１１０に結合し、コネクタアセンブリを対応するアダプタに接続することができる。
【００７２】
図３Ａ乃至３Ｆは、第２の実施形態による例示的なコネクタアセンブリを示している。具体的には、図３Ａは、第２の実施形態による例示的なコネクタアセンブリの分解図を示している。コネクタアセンブリ３００は、第１のフェルール１５５ａ及び第２のフェルール１５５ｂ、バネ３２０ａ及び３２０ｂ、並びに図３Ａに示されていない他の内部コンポーネントを安全に収容するように構成されたフレーム（又は「ハウジング」）  ３８０を含み得る。フレーム３８０は、下部フレームコンポーネント３１０に係合されるように構成された上部フレームコンポーネント３０５を含んでいてもよく、これら両者は、バックポスト部３８１及び３８５並びにプラグフレーム部３１５及び３２５を含んでいてもよい。プラグフレーム部３１５及び３２５の少なくとも一部は、アダプタの対応するポートと係合するか、及び／又は、アダプタの対応するポートに挿入されるように、構成されていてもよい。上部フレームコンポーネント３０５及び下部フレームコンポーネント３１０は、スナップフィット、フリクションフィット、接着剤などの様々な手段を使用して互いにしっかりと結合することができる。
【００７３】
ケーブル（図示せず）は、ブーツ１１５を通じてコネクタアセンブリ３００内に延びることができる。ケーブルは、第１のフェルール１５５ａ及び第２のフェルール１５５ｂで終端する２つの光ファイバ（例えば、送信光ファイバ及び受信光ファイバ）を含み得る。例えば、第１のフェルール１５５ａは送信光ファイバの終端に結合されてもよく、第２のフェルール１５５ｂは受信光ファイバの終端に結合されてもよく、逆もまた同様である。クリンプリング１２０をケーブルに固定することもできる。ポスト部３８１及び３８５は、その遠位（Ｄ）端で、クリンプリング１２０と係合することができる。クリンプリング１２０は、ケーブルに固定され、クリンプリングは、ポスト部３８１及び３８５の、したがって、フレーム３８０の、コネクタアセンブリ３００の遠位（Ｄ）端方向への動作を抑止していてもよい。
【００７４】
ラッチコンポーネント３５０は、フレーム３８０の遠位（Ｄ）端の周りに配置されたリング部３６０を含むことができる。ラッチコンポーネントは、コネクタアセンブリ３００を相補的なアダプタ（図示せず）にリリース可能に結合するように構成されたサムラッチ３５５を含むことができる。サムラッチ３５５は、押し下げ可能であってもよく、ラッチが中程度の押圧力で作動されるとコネクタアセンブリ３００がアダプタから解放されるように十分な柔軟性を有していてもよい。
【００７５】
図３Ｂは、コネクタアセンブリ３００の断面図を示しており、図３Ｃは、図３Ｂの詳細３９０を示している。図３Ａ乃至３Ｃに示されているように、フレーム３８０の外面は、リング部３６０の内面に配置された１つ又は複数の対応するロック凸部３７０を受け入れるように構成された１つ又は複数のロック凹部３７５を含み得る。ラッチコンポーネント３５０は、１つ又は複数の圧縮セクション３６５ｂを含むことができる（圧縮セクション３６５ａは図３Ａでは見えない；図３Ｅ参照）。図３Ａ乃至３Ｃに示されているように、ロック凸部３７０は、フレーム３８０に対するラッチコンポーネント３５０の回転を抑止するために、ロック凹部３７５と係合していてもよい。
【００７６】
圧縮セクション３６５ａ及び３６５ｂの圧縮は、リング部３６０の形状を変形させる。例えば、リング部３６０の形状は、ラッチコンポーネント３５０と一体であってもよい。加えて、リング部３６０は、圧縮セクション３６５ａ及び３６５ｂが圧縮されていないときはほぼ円形の形状を有し、圧縮セクションが圧縮されているときはほぼ楕円形の形状を有することができる。圧縮セクション３６５ａ及び３６５ｂが圧縮されると、ロック凸部３７０がロック凹部３７５から移動し、ラッチコンポーネント３５０がフレーム３８０に対して回転可能となる。圧縮セクション３６５ａ及び３６５ｂが圧縮されていない場合、ロック凸部３７０はロック凹部３７５中に挿入され、ラッチコンポーネント３５０をフレーム３８０に対して所定の位置にロックすることができる。したがって、ラッチコンポーネント３５０をフレーム３８０の反対側に回転させることができ、コネクタアセンブリ３００を回転させて、異なる極性の対応するアダプタとの接続が可能となる。
【００７７】
幾つかの実施形態では、セクション３６５ａ及び３６５ｂは、ユーザが（例えば自分の指又はツールを介して）リング部３６０をひねるときに、圧縮された状態になり得る。したがって、幾つかの実施形態では、リング部３６０は、セクション３６５ａ及び３６５ｂにぶつかって、圧縮を引き起こす。更なる実施形態では、ユーザがリング部３６０をひねると、表面３７０が回転するにつれて、それは一体表面（図示せず）に対して圧縮されるようになる。回転が続く場合、表面３７０は凹部３７５と係合し、それによりコネクタの極性変更が可能となる。
【００７８】
図３Ｄ乃至３Ｆは、コネクタアセンブリ３００の例示的な極性調節を示している。図３Ｄにおいて、コネクタアセンブリ３００は、コネクタアセンブリが、上側から見たときに、コネクタアセンブリの右側の第２のフェルール１５５ｂ及びコネクタアセンブリの左側の第１のフェルール１５５ａを有するアダプタと接続するように構成された第１極性に配置されている。ラッチコンポーネント３５０は、フレーム３８０上の第１の極性位置に配置されており、圧縮セクション３６５ｂが図３Ｄにおいて見られ、サムラッチ３５５がプラグフレーム部３１５上にある。図３Ｅにおいて、圧縮セクション３６５ａ及び３６５ｂは圧縮されており、ラッチコンポーネント３５０は、圧縮セクション３６５ａが図３Ｅにおいて見られ、サムラッチ３５５がプラグフレーム部３２５の下にある、第２の極性位置まで回転している。図３Ｆにおいて、接続アセンブリ３００全体が回転しており、接続アセンブリは、コネクタアセンブリが、上側から見たときに、コネクタアセンブリの左側の第２のフェルール１５５ｂ及びコネクタアセンブリの右側の第１のフェルール１５５ａを有するアダプタと接続するように構成された第２極性に配置されている。したがって、コネクタアセンブリ３００の極性は、ラッチコンポーネント３５０を第１の極性位置から第２の極性位置に回転させ、サムラッチ３５５が対応するアダプタと係合するようにコネクタアセンブリを回転させることにより、調節することができる。
【００７９】
図４Ａ乃至４Ｉは、第３の実施形態による例示的なコネクタアセンブリを示している。図４Ａは、ハウジング及び圧縮要素４１０ａ及び４１０ｂを有するコネクタアセンブリ４００の上面図を示している。ラッチコンポーネント３５０は、ロックコンポーネント４３０  （図示せず、図４Ｂ参照）の周りに配置されたリング部３６０を有していてもよい。幾つかの実施形態では、圧縮要素４１０ａ及び４１０ｂは弾力性があり、外向きにバイアスされていてもよい。幾つかの実施形態では、圧縮要素４１０ａ及び４１０ｂの圧縮により、ラッチコンポーネント３５０が第１の極性位置から１つ又は複数の他の位置に回転することが可能になり得る。
【００８０】
図４Ｂは、上から見下ろした視点からのコネクタアセンブリ４００の断面図を示している。図４Ｂに示されているように、圧縮要素４１０ａ及び４１０ｂは、ロックコンポーネント４３０上に配置され得る。１つ又は複数のケーブル（図示せず）は、コネクタアセンブリ４００中を、例えば、ブーツ１１５、クリンプリング１２５、ロックコンポーネント４３０、及びハウジング４０５を通じて延びており、フェルール１５５ａ及び１５５ｂで終端していてもよい。圧縮要素４１０ａ及び４１０ｂが圧縮されていない場合、ロックコンポーネント４３０に配置されたロック要素４３５ａ及び４３５ｂは、ラッチコンポーネント３５０と係合して、その回転を抑止することができる。幾つかの実施形態では、ロック要素４３５ａ及び４３５ｂは、ラッチコンポーネント３５０のリング部３６０に形成されたロック凹部４２５ａ及び４２５ｂと係合していてもよい。圧縮要素４１０ａ及び４１０ｂの圧縮により、ロック要素４３５ａ及び４３５ｂが内側に移動し、ラッチコンポーネント３５０と係合しなくなり、それにより、ラッチコンポーネントがロックコンポーネント４３０の周りを回転することが可能になる。ラッチコンポーネント３５０がロックコンポーネント４３０の周りを回転すると、ロック要素４３５ａ及び４３５ｂの外向きのバイアスにより、ロックコンポーネントがリング部３６０の内面に押し付けられる。したがって、圧縮要素４１０ａ及び４１０ｂが圧縮されることなく、ロック凹部４２５ａ及び４２５ｂがロック要素４３５ａ及び４３５ｂ上に位置する場合、ロック要素は外側に押してロック凹部４２５ａ及び４２５ｂを再係合することができる。
【００８１】
図４Ｃ及び４Ｄは、それぞれ、側面図及び斜視図で、ハウジング（即ち前部）４０５  、後部４１５、ロックコンポーネント４３０、及びラッチコンポーネント３５０を示している。図４Ｃ及び図４Ｄに示されているように、ハウジング４０５は、圧縮要素４１０ａ及び４１０ｂを受け入れるように構成されたチャネルを含み得る。幾つかの実施形態では、ハウジング４０５は、ロックコンポーネントをコネクタアセンブリ４００内の所定の位置に固定するために、ロックコンポーネント４３０上の相補的な凸部４４５を受け入れるように構成された１つ又は複数の開口４４０を含み得る。図４Ｅ及び４Ｆは、それぞれ、側面図及び上面図で、コネクタアセンブリ４００内に配置されたラッチコンポーネント３５０及びロックコンポーネント４３０を示している。
【００８２】
図４Ｇ乃至４Ｉは、コネクタアセンブリ４００の例示的な極性調節を示している。図４Ｇにおいて、コネクタアセンブリ４００は、コネクタアセンブリが、上側から見たときに、コネクタアセンブリの右側の第２のフェルール１５５ｂ及びコネクタアセンブリの左側の第１のフェルール１５５ａを有するアダプタと接続するように構成された第１極性に配置されている。ラッチコンポーネント３５０は、ロックコンポーネント４３０上の第１の極性位置に配置され、図４Ｇに見られるロック凹部４２５ｂと、ハウジング４０５の上部（Ｔ）表面上に配置されたサムラッチ３５５とを有している。図４Ｈにおいて、ラッチコンポーネント３５０は、第２の極性位置まで回転されており、ロック凹部４２５ｂは図４Ｈで見られ、サムラッチ３５５はハウジング４０５の底部（Ｂ）表面の下に配置されている。図４Ｉにおいて、接続アセンブリ４００全体が回転しており、接続アセンブリは、コネクタアセンブリが、上側から見たときに、コネクタアセンブリの左側の第２のフェルール１５５ｂ及びコネクタアセンブリの右側の第１のフェルール１５５ａを有するアダプタと接続するように構成された第２極性に配置されている。したがって、コネクタアセンブリ４００の極性は、ラッチコンポーネント３５０を第１の極性位置から第２の極性位置に回転させ、サムラッチ３５５が対応するアダプタと係合するようにコネクタアセンブリを回転させることにより、調節することができる。
【００８３】
図５は、様々な実施形態による例示的なコネクタアセンブリの分解図を示している。図５に示されているように、コネクタアセンブリ５００は、上部ハウジングコンポーネント５０１と下部ハウジングコンポーネント５０２とを含むことができる。幾つかの実施形態では、上部ハウジング５０１及び下部ハウジング５０２は、上部ハウジング５０１が下部ハウジング５０２に係合しているときには、「閉じた」構成において互いに結合されていてもよい。或いは、幾つかの実施形態は、上部ハウジングコンポーネント５０１が下部ハウジングコンポーネント５０２に係合されていないときには、「開いた」構成を有していてもよい。閉じた構成にあるとき、上部ハウジング５０１と下部ハウジング５０２とは、スナップフィットやフリクションフィットなどの様々な手段を使用して互いにしっかりと係合させることができる。
【００８４】
ケーブル（図示せず）は、ブーツ５０７を通って延び、クリンプリング５０６を通過してから、上部ハウジング５０１と下部ハウジング５０２とによって形成されたハウジング内に入ることができる。ケーブルは、１つ又は複数のフェルール５０３で終端する２つの光ファイバ（例えば、送信光ファイバと受信光ファイバ）を含み得る。幾つかの実施形態では、２つのフェルールが利用されてもよく、第１フェルールは送信光ファイバの終端に結合され、第２フェルールは受信光ファイバの終端に結合されてもよく、逆もまた同様である。熱収縮材料などの材料を含むことができるクリンプリング及び／又はクリンプチューブ５０６は、ケーブルの一部を包み込むことができ、ケーブルに固定することができる。上部ハウジング５０１と下部ハウジング５０２との組み合わせから構成され得るバックポスト５０８は  、その遠位端でクリンプリング５０６と係合し得る。
【００８５】
幾つかの実施形態では、クリンプリング５０６はケーブルに固定することができるため、クリンプリングは、バックポスト５０８が、したがってメインハウジング（５０１及び５０２）が、コネクタアセンブリ５００の遠位端に向かって移動するのを防ぐことができる。
幾つかの更なる実施形態では、バックポスト５０８は、上部ハウジングコンポーネント５０１又は下部ハウジングコンポーネント５０２の一部と一体に成形されるか、そうでなければ固定されていてもよい。
【００８６】
フェルール５０３は、（５０１及び５０２）内に（示されているように）２つの別個のチャネルで、又は単一の結合チャネルで配置されていてもよく、それぞれ、第１のプラグフレーム１５０ａ及び第２のプラグフレーム１５０ｂである。このようにして、フェルール（及びプラグフレーム）５０３は、上部ハウジング５０１及び下部ハウジング５０２が閉じた構成にあるときに、コネクタアセンブリ５００内に固定され得る。更なる実施形態では、フェルール５０３は、１つ又は複数のばね５０４を介して加えられるバイアス力を有し得る。
【００８７】
図１にも示されているように、一実施形態は、コネクタアセンブリがレシーバ（例えば、アダプタ及び／又はトランシーバ）にしっかりと固定されることを可能にする接続デバイス５０５を有していてもよい。接続デバイス５０５は、幾つかの実施形態では、コネクタアセンブリの一部（例えば、バックポスト５０８）上に配置され得る。更なる実施形態では、接続デバイス５０５は、コネクタアセンブリ５００の極性変更を容易にするために、バックポスト５０８の周りで回転可能であってもよい。コネクタアセンブリ５００は、プッシュプルタブ５１０を備えていてもよく、これについては、以下で更に詳しく説明する。
【００８８】
完全に組み立てられたコネクタアセンブリ６００が図６Ａに示されている。図６Ｂは、非限定的な例の実施形態によるプッシュプルタブ６１０を更に示している。幾つかの実施形態では、図示されているように、プッシュプルタブ６１０は、コネクタアセンブリに取り外し可能及び／又はリリース可能に取り付けられていてもよい。したがって、図６Ｃに示されているように、コネクタアセンブリ６００とプッシュプルタブ６１０とは、単一のユニットに組み合わされて、受信デバイスからの容易な挿入及び除去を可能にし得る。コネクタアセンブリ７００及びプッシュプルタブ７１０の拡大斜視図が図７Ａ及び７Ｂに示されている。
【００８９】
図８Ａ及び８Ｂを参照すると、コネクタアセンブリ８００が１つ又は複数の可撓性ラッチアーム８２１を含む実施形態が示されている。可撓性ラッチアーム８２１は、接続デバイス８０５を有していてもよい。接続デバイス８０５は、アダプタ及び／又はトランシーバに関連するため、本明細書で更に詳述される。具体的には、接続デバイス８０５は、アダプタ／トランシーバの凹部とインターロックしている。接続デバイス８０５は、１つ又は複数のコネクタフック８３７を備えていてもよい。幾つかの実施形態では、コネクタフック８３７は、ユーザの図及び／又はツールを介して接続デバイス８０５を圧縮して、コネクタアセンブリ８００のアダプタ／トランシーバからの除去を可能にするために使用されてもよい。
【００９０】
図示されているように、１つ又は複数の可撓性ラッチアーム８２１は、１つ又は複数のチャネル８２２の表面に接触していてもよい。ラッチングアーム８２１のチャネル８２２との接触は、ラッチングアームに付加的なサポートを提供する。幾つかの実施形態では、ラッチングアーム８２１は、コネクタアセンブリ８００と受信デバイス（例えば、アダプタ及び／又はトランシーバ）との接続を固定するために使用される。したがって、ラッチングアーム８２１とチャネル８２２との間の接触は、１つ又は複数のラッチングアームがよりしっかりと接続することを可能にし、それにより、受信装置内でコネクタアセンブリ８００をより良く固定する。
【００９１】
本明細書で議論されるように、コネクタアセンブリ９００は、コネクタの極性の変更が可能であるように構成され得る。図９Ａに示されているように、接続デバイスは、水平軸（即ちバックポスト９０８（図５の５０８）を中心に回転することができる。幾つかの実施形態では、図９Ｂに示されているように、凹部９３１は、バックポスト９０８に配置されていてもよい。凹部９３１は、様々な外側表面（例えば、クリンプリング（図５の５０６）、ケーブルブーツ（図５の５０７）など）の上に配置されてもよい。更に、幾つかの実施形態では、例えば、バックポスト９０８の上部に１つ、下部に１つなど  、コネクタアセンブリ９００に配置された複数の凹部９３１が存在していてもよい。接続デバイス９０５は、凹部９３１に相補的な（即ちマッチする）凸部９３２を備えていてもよい。したがって、幾つかの実施形態では、凸部９３２は、凹部９３１を使用して、接続デバイス９０５をハウジングにしっかりと固定することができる。
【００９２】
ここで、図１０Ａ及び１０Ｂを参照すると、幾つかの実施形態によるプッシュプルタブ１０１０の上面図及び底面図が示されている。図１０Ａに示されているように、プッシュプルタブ１０１０は、プッシュプルタブの近位端又はその近くの窓又はカットアウト１０３３と、遠位端の近くのプッシュプルノブ１０１１とを備えていてもよい。なお、窓１０３３の位置及び寸法は、異なる実施形態で変化する可能性があり、示されているような寸法及び位置は、例示のみを目的としている。更なる実施形態では、プッシュプルタブ１０１０は、１つ又は複数の凹部１０１３を備えていてもよい。
【００９３】
図１０Ｃに示されているように、幾つかの実施形態では、接続デバイス１００５は、凸部１０３４を有していてもよい。凸部１０３４は、プッシュプルタブ１０１０のカットアウト１０３３を通して又はその内部に適合するように構成されていてもよい。図７Ａ及び７Ｂを再び参照すると、プッシュプルタブがコネクタアセンブリに回復可能に接続されている例示的な実施形態が示されている。
【００９４】
したがって、プッシュプルタブ１０１０がコネクタアセンブリ１０００に沿って長手方向に移動すると、凸部１０３４が窓１０３３の側面に衝突する。幾つかの実施形態では、凸部１０３４が窓１０３３の縁部に衝突すると、凸部の傾斜部分が窓の縁部に沿ってスライドし、接続デバイス１００５を上部ハウジングコンポーネント１００１に近づける。接続デバイス１００５が圧縮されると（即ち上部ハウジングコンポーネント１００１に近づけられると）、コネクタアセンブリ１０００は、レシーバ（例えば、アダプタ及び／又はトランシーバ）から容易に取り外すことができる。
【００９５】
更なる例示的な実施形態が図１１に示されており、具体的には、コネクタアセンブリ及びプッシュプルタブ１１１０の断面が示されている。図示されているように、凸部１１３４は、窓１１３３を通して配置されている。加えて、小さな凸部（図示せず）が、コネクタ本体の凹部（図示せず）に存在している。図１１は、コネクタフック１１３７を備えた接続デバイス１１０５を有する例示的な実施形態も示している。図示されているように、コネクタアセンブリは、アダプタ及び／又はトランシーバに挿入されていてもよい。様々な代替実施形態が存在する可能性があり、本明細書で論じられ、図に示されている実施形態は、単に説明目的のためのものである。
【００９６】
例えば、図１２Ａ乃至１２Ｃに示されているように、幾つかの実施形態は、２つ以上の凸部１２３４及び２つ以上の窓１２３３を有していてもよい。したがって、プッシュプルタブ１２１０がコネクタアセンブリ１２００に沿って水平に移動すると、凸部１２３４は窓１２３３の側面に衝突する。幾つかの実施形態では、凸部１２３４が窓１２３３の縁部に衝突すると、凸部の傾斜部分が窓の縁部に沿ってスライドし、接続デバイス１２０５を上部ハウジングコンポーネント（図示せず）に近づける。接続デバイス１２０５が圧縮されると（即ち上部ハウジングコンポーネントに近づけられると）、コネクタアセンブリ１２００は、レシーバ（例えば、アダプタ及び／又はトランシーバ）から容易に取り外すことができる。
【００９７】
図１２Ｄに示されているように、幾つかの実施形態は、図示されている接続デバイス１２０５を介して、アダプタ／トランシーバに挿入されたコネクタを識別するために識別タブ１２３７を利用していてもよい。識別タブ１２３７は、様々な材料で作られ、様々な特性（即ち色など）を有することができる。
【００９８】
コネクタアセンブリ１３００の代替実施形態が図１３に断面図として示されている。即ち、図１３に示されているものなどの幾つかの実施形態は、本明細書で説明する凸部／窓配置を利用していなくてもよい。その代わりに、プッシュプルタブ１３１０は、プッシュプルタブの近位端に逆傾斜部１３３７を有していてもよい。それゆえ、プッシュプルタブ１３１０が（例えばコネクタアセンブリ１３００に対して水平に）移動すると、逆傾斜部１３３７が接続デバイス１３０５に衝突し、接続デバイスを上部ハウジングコンポーネント１３０１に向かって押し下げる。接続デバイス１３０５が圧縮されると（即ち上部ハウジングコンポーネント１３０１に近づけられると）、コネクタアセンブリ１３００は、レシーバ（例えば、アダプタ及び／又はトランシーバ）から容易に取り外すことができる。
【００９９】
コネクタアセンブリ１４００の更なる代替実施形態が図１４に示されている。即ち、図１５に示されているものなどの幾つかの実施形態は、凸部１４３４及び窓１４３３の構成と、プッシュプルタブの近位端の逆傾斜部１４３７との両方を利用することができる。それゆえ、プッシュプルタブ１４１０が（例えばコネクタアセンブリ１４００に対して水平に）移動すると、逆傾斜部１４３７が前部接続デバイス１４０５に衝突し、凸部１４３４が窓１４３３の縁部に衝突するため、前述の実施形態と同様に、接続デバイスを上部ハウジングコンポーネント１４０１に向かって押し下げる。接続デバイス１４０５が圧縮されると（即ち上部ハウジングコンポーネント１４０１に近づけられると）、コネクタアセンブリ１４００は、レシーバ（例えば、アダプタ及び／又はトランシーバ）から容易に取り外すことができる。プッシュプルタブ１４１０の詳細図及びコネクタアセンブリ１４００の断面図が図１５Ａ及び１５Ｂに示されている。
【０１００】
図１６Ａ乃至１６Ｃに示すような更なる実施形態では、プッシュプルタブ１６１０は、プッシュプルタブの下側に小さな凸部１６３５を有していてもよい。図１６Ｂは、プッシュプルタブ１６１０上の小さな凸部１６３５の詳細図を示している。幾つかの実施形態では、小さな凸部１６３５は、接続デバイス１６０５上の凹部１６３６に挿入されている。幾つかの実施形態では、これにより、コネクタアセンブリ（図示せず）に沿ったプッシュプルタブの水平方向の動きが制限される。図１７に示されているように、小さな凸部１７３５は、凹部１７３６に容易に適合する。
【０１０１】
図１７に示されているように、小さな凸部１７３５は、凹部１７３６の前壁に衝突している。この衝突は、プッシュプルタブ１７１０の前方への動きを制限する。これは、様々な実施形態において、複数の機能を果たす。例えば、小さな凸部１７３５の凹部１７３６との衝突により、ユーザは、プッシュプルタブ１７１０を介して、コネクタアセンブリ（図示せず）に実質的な順方向の力を加えることができる。
【０１０２】
図１８Ａ及び図１８Ｂをここで参照すると、本明細書で議論されるように、プッシュプルタブ１８１０は、コネクタアセンブリに対して移動し得る（例えば、コネクタアセンブリに対して水平に移動し得る）。幾つかの実施形態では、プッシュプルタブ１８１０は、コネクタアセンブリの一部に対してバイアス力を加え、プッシュプルタブを一方向に強制するテンション部材１８４０を有していてもよい。図１８Ａ及び図１８Ｂに示された非限定的な例では、プッシュプルタブ１８１０をコネクタアセンブリの前面（即ちフェルールの位置）に向かって移動させるためにバイアス力を加えるテンション部材１８４０を示している。なお、これは非限定的な例であり、１つ又は複数のテンション部材を使用することができ、バイアスを異なる方向に付加することもできる。更に、１つ以上の方向又は反対の方向にバイアス力を加えるテンション部材もあり得る。更に、本明細書で説明するように、ここで説明する実施形態には、ばねシステム又はバイアス力を適用する任意の方法を利用することができる。
【０１０３】
図１９Ａ及び１９Ｂをここで参照すると、一実施形態によるコネクタが示されている。図１９Ａ及び１９Ｂに示されているような幾つかの実施形態では、コネクタは、６．２５ｍｍのフェルール対フェルールのピッチを有し得る。更なる実施形態において、フェルールハウジングの外側寸法は、１０．８２ｍｍであってもよく、コネクタの全幅寸法は１２ｍｍであり得る。
【０１０４】
図２０Ａ及び２０Ｂ示されているような幾つかの実施形態では、既存の規格内に留めるために、フェルール間の６．２５ｍｍピッチ、更にはフェルールハウジングコンポーネントの１０．８２ｍｍの寸法を維持することができる。しかしながら、コネクタの全幅寸法は、図１９Ａ及び１９Ｂの１２ｍｍの代わりに、フェルールハウジングの既存の寸法（例えば１０．８２ｍｍ）まで縮小されていてもよい。
【０１０５】
図２１Ａ及び２１Ｂをここで参照すると、一実施形態によるコネクタが示されている。図２１Ａ及び２１Ｂに示されているような幾つかの実施形態では、コネクタは、５．２５ｍｍのフェルール対フェルールのピッチを有し得る（即ち図１９Ａ、１９Ｂ、２０Ａ、及び２０Ｂのものより１ｍｍ小さい）。更なる実施形態において、フェルールハウジングの外側寸法は、９．８２ｍｍであってもよく、コネクタの全幅寸法は１１ｍｍであり得る。
【０１０６】
図２２Ａ及び２２Ｂに示されているような幾つかの実施形態では、既存の規格内に留めるために、フェルール間の５．２５ｍｍピッチ、更にはフェルールハウジングコンポーネントの９．８２ｍｍの寸法を維持することができる。しかしながら、コネクタの全幅寸法は、図２１Ａ及び２１Ｂの１１ｍｍの代わりに、フェルールハウジングの既存の寸法（例えば９．８２ｍｍ）まで縮小されていてもよい。
【０１０７】
図２３Ａ及び２３Ｂをここで参照すると、一実施形態によるコネクタが示されている。図２３Ａ及び２３Ｂに示されているような幾つかの実施形態では、ミニチュアフットプリントコネクタは、３．４ｍｍのフェルール対フェルールのピッチを有し得る。更なる実施形態では、フェルールハウジングの外寸は、７．９７ｍｍであってもよい。  
【０１０８】
光ファイバコネクタが例示的な実施形態として使用されてきたが、幾つかの実施形態によれば、任意のタイプの電気及び／又は通信コネクタを使用できるため、この詳細な説明はそれによって限定されない。コネクタ、アダプタ、及びそれらから形成される接続アセンブリは、クリンパー、バンド、ストラップ、フェルール、ロック材料、流体、ゲルなどの他の接続要素及び／又は材料と組み合わせて使用することができる。
【０１０９】
上記の詳細な説明では、本明細書の一部を形成する添付図面を参照している。図面においては、通常、文脈からそうでないことが明示されていない限り、同様の記号は同様のコンポーネントを示している。詳細な説明、図面、及び特許請求の範囲に記載されている例示的な実施形態は、発明の外延を限定することを意図していない。本明細書に提示されている主題の精神又は範囲から逸脱することなく、他の実施形態を使用することができ、他の変更を加えることができる。本明細書において一般的に記載され、図面に示されている本開示の態様は、多種多様な異なる構成で配置、置換、組み合わせ、分離、及び設計することができ、それらはすべて明示的に企図されている。
【０１１０】
本開示は、様々な態様の例示として意図されており、本出願に記載される特定の実施形態に関して限定されるべきではない。当業者には明らかであるように、その精神及び範囲から逸脱することなく、多くの修正及び変更を行うことができる。本明細書に列挙されたものに加えて、本開示の範囲内の機能的に同等の方法及び装置は、前述の説明から当業者には明らかである。そのような修正及び変形は、添付の特許請求の範囲内に含まれることが意図されている。本開示は、添付の特許請求の範囲の条件によってのみ制限されるものであり、かかる特許請求の範囲が権利を有する均等物の全範囲も含まれる。本開示は、特定の方法、試薬、化合物、組成物、又は生物系に限定されず、これらは当然ながら変化し得る。また、本明細書で使用される用語は、特定の実施形態のみを説明するためのものであり、限定することを意図するものではない。
【０１１１】
本明細書における実質的に任意の複数形及び／又は単数形の使用に関して、当業者は、文脈及び／又は応用に適切なように、複数から単数へ及び／又は単数から複数へと翻訳することができる。本明細書では、明確にするために、様々な単数形／複数形の置換を明示的に説明することがある。
【０１１２】
一般に、本明細書及び特に添付の特許請求の範囲（例えば、添付の特許請求の範囲の本文）で使用される用語は、一般に「オープン」な用語として意図されている。例えば、「ｉｎｃｌｕｄｉｎｇ」という用語は「含むがこれに限定されない」と解釈されるべきであり、「ｈａｖｉｎｇ」という用語は「少なくとも有する」と解釈されるべきであり、「ｉｎｃｌｕｄｅｓ」という用語は「含むがこれに限定されない」と解釈される等である。様々な構成、方法、及びデバイスは、様々なコンポーネント又はステップを「ｃｏｍｐｒｉｓｉｎｇ」する（「含むが、これに限定されない」という意味として解釈される）という観点から説明されている。組成、方法、及びデバイスは、様々なコンポーネント又はステップを「ｃｏｎｓｉｓｔ  ｅｓｓｅｎｔｉａｌｌｙ  ｏｆ」又は「ｃｏｎｓｉｓｔ  ｏｆ」することもでき、そのような用語は、実質的に閉じたメンバーのグループを定義すると解釈されるべきである。更に、当業者は、特定の数の導入されたクレーム引用が意図される場合、そのような意図はクレームに明示的に列挙され、そのような記述がない場合にはそのような意図は存在しないことを更に理解するであろう。例えば、理解を助けるために、以下の添付のクレームには、クレームの特定事項を導入するために「少なくとも１つ」及び「１つ又は複数の」という導入フレーズの使用が含まれる場合がある。しかしながら、そのような表現の使用は、不定冠詞「ａ」又は「ａｎ」によるクレームの特定事項の導入が、そのような導入されたクレームの特定事項を含む特定のクレームを、そのような特定事項を１つだけ含む実施形態に限定することを意味すると解釈されるべきではない。これは、同じクレーム中に「１つ又は複数の」又は「少なくとも１つ」の導入フレーズと「ａ」又は「ａｎ」などの不定冠詞とが含まれる場合でも同様である（例えば、「ａ」及び／又は「ａｎ」は「少なくとも１つ」又は「１つ又は複数の」と解釈されるべきである）。クレームの特定事項を導入するために使用される定冠詞の使用についても同じことが当てはまる。更に、特定の数の導入されたクレームの特定事項が明示的に列挙されている場合でも、当業者は、そのような列挙が、少なくとも列挙された数を意味する（例えば、他の修飾なしで単に「２つの列挙」がされた場合、少なくとも２つの列挙、又は２つ又はそれ以上の列挙を意味する）と解釈されるべきであることを認識するであろう。また、「Ａ、Ｂ、及びＣの少なくとも１つ等」に類似した慣用句が使用される場合、一般に、このような構造は、当業者が慣例を理解するような意味で意図されている（例えば、「Ａ、Ｂ、及びＣの少なくとも１つを有するシステム」には、Ａだけ、Ｂだけ、Ｃだけ、ＡとＢとが一緒、ＡとＣとが一緒、ＢとＣとが一緒、及び／又はＡとＢとＣとが一緒の場合等が含まれるが、これらに限定されない）。「Ａ、Ｂ、又はＣの少なくとも１つ等」に類似した慣用句が使用される場合、一般に、そのような構造は、当業者が慣例を理解するような意味で意図されている（例えば、「Ａ、Ｂ、又はＣの少なくとも１つを有するシステム」には、Ａのみ、Ｂのみ、Ｃのみ、ＡとＢとが一緒、ＡとＣとが一緒、ＢとＣとが一緒、及び／又はＡとＢとＣとが一緒の場合等が含まれるが、これらに限定されない）。また、明細書、特許請求の範囲、図面の何れにせよ、２つ以上の代替用語を提示する任意の分離語及び／又は句は、用語のうちの１つ、用語のうちの何れか、又は用語の両方を含める可能性を企図すると理解されるべきであることを当業者は更に理解するであろう。例えば、フレーズ「Ａ又はＢ」は、「Ａ」又は「Ｂ」又は「Ａ及びＢ」の可能性を含むと理解される。
【０１１３】
加えて、本開示の特徴又は態様がマーカッシュグループに関して説明される場合、当業者は、それにより、マーカッシュグループの個々のメンバー又はメンバーのサブグループに関しても本開示が説明されていることを認識するであろう。
【０１１４】
当業者に理解されるように、書面による説明の提供などのあらゆる目的のために、本明細書に開示されている全ての範囲は、全ての可能なサブレンジ及びそのサブレンジの組み合わせをも包含している。リストされた範囲は、同じ範囲の少なくとも半分、３分の１、４分の１、５分の１、１０分の１などに分割される範囲を十分に記述し且つ実施可能にするものとして容易に認識することができる。非限定的な例として、本明細書で説明される各範囲は、下３分の１、中３分の１、及び上３分の１に容易に分解することができる。また、当業者によって理解されるように、「〜まで」、「少なくとも」などのすべての言語は、列挙された数を含み、上記のように、部分範囲に後で分解できる範囲を指している。最後に、当業者に理解されるように、範囲には各々の個々のメンバーが含まれる。したがって、例えば、１〜３セルのグループは、１、２、又は３セルのグループを指す。同様に、例えば、１〜５個のセルを有するグループは、１、２、３、４、又は５個のセルを有するグループを指す。
【０１１５】
上記で開示された並びにそれ以外の様々な特徴及び機能又はその代替物は、他の多くの異なるシステム又は用途に組み合わせることができる。様々な現在予見できない又は予期しない代替、修正、変形、又は改良が当業者によって続いて行われ得る。そして、それらの各々も、本明細書で開示された実施形態に含まれることが意図される。
【図１】
0006918147.tif 000002
【図２Ａ】
0006918147.tif 000003
【図２Ｂ】
0006918147.tif 000004
【図２Ｃ】
0006918147.tif 000005
【図３Ａ】
0006918147.tif 000006
【図３Ｂ】
0006918147.tif 000007
【図３Ｃ】
0006918147.tif 000008
【図３Ｄ】
0006918147.tif 000009
【図３Ｅ】
0006918147.tif 000010
【図３Ｆ】
0006918147.tif 000011
【図４Ａ】
0006918147.tif 000012
【図４Ｂ】
0006918147.tif 000013
【図４Ｃ】
0006918147.tif 000014
【図４Ｄ】
0006918147.tif 000015
【図４Ｅ】
0006918147.tif 000016
【図４Ｆ】
0006918147.tif 000017
【図４Ｇ】
0006918147.tif 000018
【図４Ｈ】
0006918147.tif 000019
【図４Ｉ】
0006918147.tif 000020
【図５】
0006918147.tif 000021
【図６Ａ】
0006918147.tif 000022
【図６Ｂ】
0006918147.tif 000023
【図６Ｃ】
0006918147.tif 000024
【図７Ａ】
0006918147.tif 000025
【図７Ｂ】
0006918147.tif 000026
【図８Ａ】
0006918147.tif 000027
【図８Ｂ】
0006918147.tif 000028
【図９Ａ】
0006918147.tif 000029
【図９Ｂ】
0006918147.tif 000030
【図９Ｃ】
0006918147.tif 000031
【図１０Ａ】
0006918147.tif 000032
【図１０Ｂ】
0006918147.tif 000033
【図１０Ｃ】
0006918147.tif 000034
【図１１】
0006918147.tif 000035
【図１２Ａ】
0006918147.tif 000036
【図１２Ｂ】
0006918147.tif 000037
【図１２Ｃ】
0006918147.tif 000038
【図１２Ｄ】
0006918147.tif 000039
【図１３】
0006918147.tif 000040
【図１４】
0006918147.tif 000041
【図１５Ａ】
0006918147.tif 000042
【図１５Ｂ】
0006918147.tif 000043
【図１６Ａ】
0006918147.tif 000044
【図１６Ｂ】
0006918147.tif 000045
【図１７】
0006918147.tif 000046
【図１８Ａ】
0006918147.tif 000047
【図１８Ｂ】
0006918147.tif 000048
【図１９Ａ】
0006918147.tif 000049
【図１９Ｂ】
0006918147.tif 000050
【図２０Ａ】
0006918147.tif 000051
【図２０Ｂ】
0006918147.tif 000052
【図２１Ａ】
0006918147.tif 000053
【図２１Ｂ】
0006918147.tif 000054
【図２２Ａ】
0006918147.tif 000055
【図２２Ｂ】
0006918147.tif 000056
【図２３Ａ】
0006918147.tif 000057
【図２３Ｂ】
0006918147.tif 000058